(57)【特許請求の範囲】
【請求項１】
ＣＲＴの背面に接触状態で対角線上に配設され、前記ＣＲＴの下端の一方側の耳部を巻くようにアース線本体の下側端部が輪状部の根本部分と先端近傍箇所が止め金に挿入されていて、前記止め金は前記根本部分を挿入する第１開口部と前記先端部を挿入する第２開口部を有し、前記第２開口部が先端側になるにつれて挟められ、その先端縁が鋭角に形成されて前記アース線本体の先端近傍箇所が逆戻り阻止されるように構成したことを特徴とするＣＲＴ用アース線。
【請求項２】
ＣＲＴの背面に接触状態で対角線上に配設され、前記ＣＲＴの下端の一方側の耳部を巻くようにアース線本体の下側端部が輪状に曲成され、その輪上部の根本部分と先端近傍箇所が止め金に挿入されていて、前記止め金は前記根本部分を挿入する第１開口部と前記先端部を挿入する第２開口部を有し、前記第１開口部及び前記第２開口部に前記アース線本体の逆戻りを阻止する細幅部が形成されていることを特徴とするＣＲＴ用アース線。
【請求項３】
前記細幅部は、前記第１開口部におけるアース線本体が引かれる方向の先端側になるにつれて狭められて形成されているとともに、前記第２開口部におけるアース線が引かれる方向の先端側になるにつれて狭められて形成されていることを特徴とする請求項２に記載のＣＲＴ用アース線。
【請求項４】
前記細幅部におけるアース線本体が引かれる方向の先端縁が鋭角に形成されていることを特徴とする請求項２又は３に記載のＣＲＴ用アース線。
【発明の詳細な説明】
【０００１】
【発明の属する技術分野】
本発明は、ＣＲＴの背面に接触状態で配設されてアースを取るようにしたＣＲＴ用アース線に関する。
【０００２】
【従来の技術】
第１の従来技術を図４（ａ）（ｂ）に示す。固定装置１２０は針金のような細い金属製の丸棒であって、可撓性を有するものから構成される。その中間部分には、接地線１１０を結び付けるための環状部を兼ねたばね部１２１がルーブ状に構成され、両側部分は、はね部１２１のルーブと同一方向に、かつ互いに所定の間隔で対向するように、それぞれほぼコ字形に屈曲されており、これによって、図中点線にて示すラグの断面形状１３０に合せた大きさでフック部１２２が構成されている。また、フック部１２２の先端部分は内側に折り返されているものである。（例えば、特許文献１参照）。
ところが、これにおいては、接地線１１０の他にばね部１２１とフック部１２２を有する固定装置１２０を必要としており、接地線１１０に固定装置１２０を取り付ける作業を必要としていて、部品点数が多く且つ作業効率が悪いという問題があった。
【０００３】
第２の従来技術を図５（ａ）（ｂ）に示す。ＣＲＴ２０１の裏面２０２の上部両端から下向きにアース用のエンドワイヤー２０４を吊設し、ＣＲＴ２０１の下方に位置するキャビネット２０５から上向きにフック２０６を設け、このフック２０６に吊設状態のエンドワイヤー２０４の下部を引っ掛けて張設して、エンドワイヤー２０４をＣＲＴ２０１の曲面状裏面２０２に圧接してＣＲＴ２０１のアースを取るように構成したものである。（例えば、特許文献２参照）。
ところが、これにおいては、キャビネット２０５にフック２０６とビス止め片２０７を設ける必要があって構造が複雑であり、また、エンドワイヤー２０４をフック２０６とビス止め片２０７に引っ掛ける作業が必要であり、作業効率が悪いという問題があった。
【０００４】
第３の従来技術を図６（ａ）（ｂ）に示す。ブラウン管用アース線３０６はアース線本体３０７と弾性体３０９とから成っている。アース線本体３０７はブラウン管３０１のコーナー部のブラケット３０５ａ、３０５ｂ、３０５ｃ、３０５ｄに取付け可能な大きさを有す環状の係止部３０８を一端に設けると共に、アース線本体３０７をブラウン管３０１に密着するための弾性体３０９がアース線本体３０７の他端に直列に連結されたものである。（例えば、特許文献３参照）。
ところが、これにおいては、弾性体３０９を必要とするために部品点数が多くなり、しかも、アース線３０６に弾性体を取り付ける作業が必要であり、作業効率が悪いという問題があった。
【０００５】
【特許文献１】
特開平１０−１２１６１号公報
【特許文献２】
特開２００２−１０１７１号公報
【特許文献３】
実開平４−９１４８４号公報
【０００６】
【発明が解決しようとする課題】
本発明は、部品点数を削減することができ、ＣＲＴにアース線本体を取り付ける作業を簡単に行なうことができて作業効率を上げることができるとともに作業員数を減らすことができるＣＲＴ用アース線を提供することを目的としている。
【０００７】
【課題を解決するための手段】
本発明は、上記課題を解決するために提案されたものであって、請求項１に記載の発明は、ＣＲＴの背面に接触状態で対角線上に配設され、前記ＣＲＴの下端の一方側の耳部を巻くようにアース線本体の下側端部が輪状部の根本部分と先端近傍箇所が止め金に挿入されていて、前記止め金は前記根本部分を挿入する第１開口部と前記先端部を挿入する第２開口部を有し、前記第２開口部が先端側になるにつれて挟められ、その先端縁が鋭角に形成されて前記アース線本体の先端近傍箇所が逆戻り阻止されるように構成したことを特徴としている。
【０００８】
請求項２に記載の発明は、ＣＲＴの背面に接触状態で対角線上に配設され、前記ＣＲＴの下端の一方側の耳部を巻くようにアース線本体の下側端部が輪状に曲成され、その輪上部の根本部分と先端近傍箇所が止め金に挿入されていて、前記止め金は前記根本部分を挿入する第１開口部と前記先端部を挿入する第２開口部を有し、前記第１開口部及び前記第２開口部に前記アース線本体の逆戻りを阻止する細幅部が形成されていることを特徴としている。
【０００９】
請求項３に記載の発明は、前記細幅部は、前記第１開口部におけるアース線本体が引かれる方向の先端側になるにつれて狭められて形成されているとともに、前記第２開口部におけるアース線が引かれる方向の先端側になるにつれて狭められて形成されていることを特徴としている。
請求項４に記載の発明は、前記細幅部におけるアース線本体が引かれる方向の先端縁が鋭角に形成されていることを特徴としている。
【００１０】
【発明の実施の形態】
以下、本発明に係るＣＲＴ用アース線の実施の形態について、図を参照しつつ説明する。
図１は本発明の第１実施形態のＣＲＴ用アース線を示し、（ａ）はそのアース線本体をＣＲＴに取り付けた状態を示す斜視図、（ｂ）はそのアース線本体を張設するときの状態を示す部分背面図、（ｃ）はそのアース線本体を張設状態に保持するための止め金とアース線本体との関係を示す要部拡大断面図、図２は同ＣＲＴ用アース線の全体を示す斜視図である。
【００１１】
この第１実施形態のＣＲＴ用アース線は、図１（ａ）に示すように、アース線本体１がＣＲＴ２の背面に接触状態で対角線上に配接され、上端の輪状部１ａがＣＲＴ２の左側の上部の耳部３に巻かれて取り付けられてグランドワイヤー４に接続され、下端部１ｂが、図１（ｂ）にも示すように、ＣＲＴ２の右側の下部の耳部５を巻くように輪状部１ｃの根本部分と先端近傍箇所が止め金６に挿入されている。
そして、止め金６は、図１（ｃ）に示すように、アース線本体１の輪状部１ｃの根本部分を挿入する第１開口部６ａと輪状部１ｃの先端部を挿入する第２開口部６ｂを有し、第２開口部６ｂが先端側になるにつれて狭められ、その先端縁６ｃが鋭角に形成され、この鋭角な先端縁６ｃでアース線本体１の先端近傍箇所を押し付けてアース線本体１が逆戻り阻止されて緩まないようにしている。
【００１２】
したがって、この第１実施形態によれば、ＣＲＴ２の背面に接触状態で対角線上に配設されるアース線本体１を張設する弾性体等を使用せずに、止め金６だけでアース線本体１を張設状態に保持できるので、部品点数を削減することができ、ＣＲＴ２にアース線本体１を取り付ける作業を簡単に行なうことができて作業効率を上げることができるとともに作業員数を減らすことができる。
【００１３】
図３は第２実施形態のＣＲＴのアース線におけるアース線本体を張設状態に保持するための止め金とアース線本体との関係を示す要部拡大断面図である。
この第２実施形態のＣＲＴ用アース線は、図３に示すように、アース線本体１の輪状部１ｃが挿入される止め金６の第１開口部６ａの後端縁６ｄと第２開口部６ｂの先端縁６ｃがアース線本体１の逆戻りを阻止する細幅部に形成されて、更に鋭角に形成されていて、これらの鋭角な先端縁６ｃと後端縁６ｄでアース線本体１の輪状部１ｃの根本部分と先端近傍箇所とを押し付けている。
【００１４】
したがって、この第２実施形態によれば、アース線本体１を張設する弾性体等を使用せずに、止め金６だけでアース線本体１を張設状態に保持できるので、部品点数を削減することができ、ＣＲＴ２にアース線本体１を取り付ける作業を簡単に行なうことができて作業効率を上げることができるとともに作業員数を減らすことができ、更に、止め金６の第１開口部６ａの鋭角な後端縁６ｄと第２開口部の鋭角な先端縁６ｃの２箇所でアース線本体１の輪状部１ｃを押し付けているので、より一層確実にアース線本体１を緩まないように張設状態に保持することができる。
【００１５】
【発明の効果】
以上説明したように、請求項１に記載の発明は、ＣＲＴの背面に接触状態で対角線上に配設され、ＣＲＴの下端の一方側の耳部を巻くようにアース線本体の下側端部が輪状部の根本部分と先端近傍箇所が止め金に挿入されていて、止め金は根本部分を挿入する第１開口部と先端部を挿入する第２開口部を有し、第２開口部が先端側になるにつれて挟められ、その先端縁が鋭角に形成されてアース線本体の先端近傍箇所が逆戻り阻止されるように構成したので、以下に述べる効果を奏する。
【００１６】
即ち、第２開口部の鋭角な先端縁でアース線本体の逆戻りを阻止しているので、アース線本体を張設する弾性体等を使用せずに、止め金だけでアース線本体を張設状態に保持できるので、部品点数を削減することができ、ＣＲＴにアース線本体を取り付ける作業を簡単に行なうことができて作業効率を上げることができるとともに作業員数を減らすことができる。
【００１７】
請求項２に記載の発明は、ＣＲＴの背面に接触状態で対角線上に配設され、ＣＲＴの下端の一方側の耳部を巻くようにアース線本体の下側端部が輪状に曲成され、その輪上部の根本部分と先端近傍箇所が止め金に挿入されていて、止め金は根本部分を挿入する第１開口部と先端部を挿入する第２開口部を有し、第１開口部及び第２開口部にアース線本体の逆戻りを阻止する細幅部が形成されているので、以下に述べる効果を奏する。
【００１８】
即ち、止め金の第１開口部及び第２開口部の細幅部でアース線本体の逆戻りを阻止しているので、アース線本体を張設する弾性体等を使用せずに、止め金だけでアース線本体を張設状態に保持できるので、部品点数を削減することができ、ＣＲＴにアース線本体を取り付ける作業を簡単に行なうことができて作業効率を上げることができるとともに作業員数を減らすことができる。
【００１９】
請求項３に記載の発明は、細幅部は、第１開口部におけるアース線本体が引かれる方向の先端側になるにつれて狭められて形成されているとともに、第２開口部におけるアース線が引かれる方向の先端側になるにつれて狭められて形成されているので、止め金の第１開口部の先端縁の細幅部と第２開口部の細幅部の２箇所でアース線本体の輪状部を押し付けているので、より一層確実にアース線本体を緩まないように張設状態に保持することができる。
【００２０】
請求項４に記載の発明は、細幅部におけるアース線本体が引かれる方向の先端縁が鋭角に形成されているので、アース線本体にこの鋭角な先端縁が食い込んでアース線本体が逆戻りすることを確実に防止できる。
【図面の簡単な説明】
【図１】  第１実施形態のＣＲＴ用アース線を示し、（ａ）はそのアース線本体をＣＲＴに取り付けた状態を示す斜視図、（ｂ）はそのアース線本体を張設するときの状態を示す部分背面図、（ｃ）はそのアース線本体を張設状態に保持するための止め金とアース線本体との関係を示す要部拡大断面図である。
【図２】  同ＣＲＴ用アース線の全体を示す斜視図である。
【図３】  第２実施形態のＣＲＴのアース線におけるアース線本体を張設状態に保持するための止め金とアース線本体との関係を示す要部拡大断面図である。
【図４】  従来の接地線の固定装置を示し、（ａ）はその固定装置を接地線に取り付けた状態を示す斜視図、（ｂ）はその固定装置をブラウン管のラグに取り付けた状態を示す斜視図である。
【図５】  従来のＣＲＴのアース接続構造を示し、（ａ）はその全体構造を示す裏面図、（ｂ）はその部分拡大斜視図である。
【図６】  従来のブラウン管用線を示し、（ａ）はその展開図、（ｂ）はそのアース線をブラウン管の背面に取り付けた状態を示す背面図である。
【符号の説明】
１  アース線本体
１ａ  上端部
１ｂ  下端部
１ｃ  輪状部
２  ＣＲＴ
３  左側の上部の耳部
４  グランドワイヤー
５  右側の下部の耳部
６  止め金
６ａ  第１開口部
６ｂ  第２開口部
６ｃ  先端縁
６ｄ  後端縁
【図１】
0003695450.tif 000002
【図２】
0003695450.tif 000003
【図３】
0003695450.tif 000004
【図４】
0003695450.tif 000005
【図５】
0003695450.tif 000006
【図６】
0003695450.tif 000007